(57)【要約】【課題】天井裏に大きな空間を必要とせずに取り付けることができる取付け具を提供する。【解決手段】  天井吊り下げ式機器の取付け具は、天井6の開口60に嵌まって、機器を吊り下げ支持する支持片10と、天井6の下面に接する当て片11と、支持片10と当て片11を繋ぐ繋ぎ片2と、天井6の上面に接する押さえ片3を具えている。  押さえ片3は当て片11に嵌まったネジ軸4に沿って昇降可能に設けられている。押さえ片3は起立姿勢である第１の位置と、第１の位置からネジ軸4に沿って下降途中に繋ぎ片2に接して下向きに回動し、先端部が天井6の上面に接して当て片11との間で天井6を挟持する第２の位置の間を移動可能に設けられている。【選択図】図３
2008042232.tif 000002
【特許請求の範囲】
【請求項１】
天井(６)の開口(60)に嵌まって、機器を吊り下げ支持する支持片(10)と、天井(６)の下面に接する当て片(11)と、支持片(10)と当て片(11)を繋ぐ繋ぎ片(２)と、天井(６)の上面に接する押さえ片(３)を具え、
押さえ片(３)は当て片(11)に嵌まった軸体に沿って昇降可能に設けられ、
押さえ片(３)は起立姿勢である第１の位置と、第１の位置から軸体に沿って下降途中に繋ぎ片(２)に接して下向きに回動し、先端部が天井(６)の上面に接して当て片(11)との間で天井(６)を挟持する第２の位置の間を移動可能に設けられたことを特徴とする天井吊り下げ式機器の取付け具。
【請求項２】
軸体は当て片(11)に螺合したネジ軸(４)である、請求項１に記載の天井吊り下げ式機器の取付け具。
【請求項３】
繋ぎ片(２)には、第２の位置から上昇した押さえ片(３)の第１の位置への上向き回動を案内する案内片(８)が設けられた、請求項１又は２に記載の天井吊り下げ式機器の取付け具。
【請求項４】
天井(６)の開口(60)に嵌まって、機器を吊り下げ支持する支持片(10)と、天井(６)の下面に接する当て片(11)と、支持片(10)と当て片(11)を繋ぐ繋ぎ片(２)と、天井(６)の上面に接する押さえ片(３)を具え、
押さえ片(３)は当て片(11)に螺合したネジ軸(４)に沿って昇降可能に設けられ、
押さえ片(３)は起立姿勢である第１の位置と、第１の位置からネジ軸(４)に沿って下降途中に繋ぎ片(２)に接して下向きに回動し、先端部が天井(６)の上面に接して当て片(11)との間で天井(６)を挟持する第２の位置の間を移動可能に設けられた天井吊り下げ式機器の取付け具の取付け方法であって、
押さえ片(３)が第１の位置にある状態で、取付け具を上昇させて、当て片(11)を天井(６)の下面に当接させる工程と、
ネジ軸(４)を回転させて、押さえ片(３)を下降回動させ、第２の位置に到達させて、押さえ片(３)と当て片(11)とで天井(６)を挟持する工程を具えた天井吊り下げ式機器の取付け具の取付け方法。
【発明の詳細な説明】
【技術分野】
【０００１】
本発明は、天井吊り下げ式機器の取付け具及び取付け方法に関し、具体的にはドーム型監視カメラの天井への取付け具及び取付け方法に関する。
【背景技術】
【０００２】
従来から建物の天井に目立たないように埋め込まれるドーム型監視カメラがある(例えば、特許文献１参照)。また、特許文献１に記載されたもの以外に、図６(a)、(b)に示すドーム型監視カメラがある。
このドーム型監視カメラ(７)は、ブラケットである取付け具(１)を介して天井(６)に開設された開口(60)に埋設される。取付け具(１)は金属板を折曲して構成されて、ドーム型監視カメラ(７)が取り付けられる支持片(10)と、天井(６)の下面に接する当て片(11)を具える。取付け具(１)には押さえ片(３)が枢支(３a)され、押さえ片(３)の先端部と当て片(11)とて、開口(60)の周縁部を挟持してドーム型監視カメラ(７)を天井(６)に保持する。
【０００３】
ドーム型監視カメラ(７)が取り付けられた取付け具(１)を天井(６)に取り付けるには、押さえ片(３)を上げた状態で、天井(６)の下方から取付け具(１)を開口(60)内に挿入する。当て片(11)が天井(６)の下面に接した状態で、当て片(11)の下側からネジ軸(４)を挿入して、押さえ片(３)を下方に回動させる。ネジ軸(４)の先端部を押さえ片(３)に螺合させ、押さえ片(３)の先端部と当て片(11)とて開口(60)の周縁部を挟持する。また、ネジ軸(４)の先端部を押さえ片(３)に螺合させずに、該先端部で押さえ片(３)を押圧してもよい。これにより、ドーム型監視カメラ(７)は、取付け具(１)を介して天井(６)に取り付けられる。
尚、押さえ片(３)は１箇所しか図示していないが、これは図示の便宜上であって、取付け具(１)の周囲に複数設けられる。
【０００４】
【特許文献１】特開２０００−２４４７８２号公報
【発明の開示】
【発明が解決しようとする課題】
【０００５】
図６(a)、(b)に示す取付け具(１)では、固定された枢支部(３a)を中心として押さえ片(３)を回動させるから、押さえ片(３)の回動範囲を大きく設ける必要がある。このため、取付け具(１)を収納する天井(６)裏に大きな空間が必要となり、取付け位置に配慮する必要があった。
本発明の目的は、天井(６)裏に大きな空間を必要とせずに取り付けることができる取付け具を提供することにある。
【課題を解決するための手段】
【０００６】
天井吊り下げ式機器の取付け具は、天井(６)の開口(60)に嵌まって、機器を吊り下げ支持する支持片(10)と、天井(６)の下面に接する当て片(11)と、支持片(10)と当て片(11)を繋ぐ繋ぎ片(２)と、天井(６)の上面に接する押さえ片(３)を具え、
押さえ片(３)は当て片(11)に嵌まった軸体に沿って昇降可能に設けられ、
押さえ片(３)は起立姿勢である第１の位置と、第１の位置から軸体に沿って下降途中に繋ぎ片(２)に接して下向きに回動し、先端部が天井(６)の上面に接して当て片(11)との間で天井(６)を挟持する第２の位置の間を移動可能に設けられている。
【発明の効果】
【０００７】
取付け具(１)は、押さえ片(３)が起立した第１の位置にて、天井(６)の開口(60)に挿入される。当て片(11)が天井(６)の下面に接した状態で、軸体に沿って押さえ片(３)を下降させる。押さえ片(３)は下降途中に繋ぎ片(２)に接して下向きに回動し、先端部が天井(６)の上面に接する第２の位置に達する。押さえ片(３)と当て片(11)とによって、取付け具(１)は天井(６)の開口(60)の周縁部に取り付けられる。
即ち、押さえ片(３)は第１の位置から下降し下向きに回動した第２の位置にて天井(６)に取り付けられる。これにより、押さえ片(３)が枢支部を中心に回動するだけの従来の構成に比して、天井(６)裏に大きな空間を必要とすることなく、取付け具(１)を取り付けることができる。
また、押さえ片(３)は起立姿勢にて天井(６)の開口(60)に挿入されるから、該開口(60)の大きさも小さくできる。更に、少ない部品の組み合わせにて、取付け具の安定した取り付けが可能となる。
【発明を実施するための最良の形態】
【０００８】
以下、本発明の一実施例を図を用いて、説明する。
図１は、取付け具(１)を下側から見た分解斜視図であり、従来と同様に、天井(６)の開口(60)の周縁部に取り付けられる。取付け具(１)は金属板を折曲して構成されて、ドーム型監視カメラ(７)が取り付けられる平板状の支持片(10)と、天井(６)の下面に接する一対の当て片(11)(11)と、支持片(10)と当て片(11)を繋ぎ、支持片(10)及び当て片(11)に直交する繋ぎ片(２)(２)を具える。支持片(10)にはドーム型監視カメラ(７)をネジ止めする為の貫通孔(12)(12)が開設されている。
【０００９】
当て片(11)の下方からはネジ軸(４)が挿通され、該ネジ軸(４)の先端部は繋ぎ片(２)から突出した受け板(20)を通って、受け板(20)上に載置された袋ナット(40)に螺合する。これにより、ネジ軸(４)は落下を防止され、ネジ軸(４)の頭部(４a)は当て片(11)の下面に接する。
受け板(20)と当て片(11)の間にて、ネジ軸(４)には略コ字形の中間部材(５)が螺合し、該中間部材(５)の外側には押さえ片(３)がビス(50)止めされる。押さえ片(３)は中間部材(５)に対し、ビス(50)を中心として回動可能に設けられている。
尚、図１では押さえ片(３)は一方の繋ぎ片(２)のみにしか設けられていないが、これは図示の便宜上であって、両方の繋ぎ片(２)に設けてもよい。
中間部材(５)の内側端縁(図１のＧ)は繋ぎ片(２)の側面に接近又は接しており、ネジ軸(４)を回動させても、中間部材(５)は繋ぎ片(２)の側面に接して回動できない。従って、ネジ軸(４)を回動させると、中間部材(５)は押さえ片(３)と一緒に昇降する。
【００１０】
押さえ片(３)は、ビス(50)が貫通する孔(34)を開設したアーム(30)の先端部を押圧板(31)にて接続して構成され、該押圧板(31)が天井(６)の上面を押さえる。アーム(30)の基端部下端からは突板(32)が外向きに突出する。
繋ぎ片(２)上には、アーム(30)の基端部の隅部(33)が嵌まる透孔(21)(21)が上下に延びて開設され、該透孔(21)の側方からは案内片(８)(８)が外向きに突出している。案内片(８)は下端縁が外側上向きに傾いたカム面(80)を形成し、透孔(21)の下端縁はカム面(80)の下端と略同じ高さ位置にある。後記の如く、押さえ片(３)が上昇する際には、突板(32)がカム面(80)に接して押さえ片(３)を上向きに回動させる。
【００１１】
図１では、押さえ片(３)は長手方向を横に向けているが、取付け具(１)を天井(６)に取り付ける際には、押さえ片(３)は立てた状態、即ち起立姿勢にある。即ち、押さえ片(３)は起立姿勢で開口(60)に挿入され、挿入後に押さえ片(３)を水平に倒して天井(６)に取り付けられる。
図２は、起立姿勢にある押さえ片(３)を図１のＡ方向から見た図であり、図３(a)は図２をＣ方向から見た図である。前記の如く、当初は、アーム(30)の基端部の隅部(33)が透孔(21)に嵌まり、透孔(21)の下端縁に接している。取付け具(１)を天井(６)に取り付ける際に、押さえ片(３)は起立姿勢にあるから、押さえ片(３)の横幅(図２のＬ)を繋ぎ片(２)の幅まで広く設けることができる。押さえ片(３)の横幅を広く設けることにより、取付け具(１)を天井(６)に安定して取り付けることができる。
【００１２】
図３(a)に示すように、押さえ片(３)が起立した状態(第１の位置と呼ぶ)にて、当て片(11)の下側からネジ軸(４)を回動させると、押さえ片(３)が下降せんとする。しかし、隅部(33)が透孔(21)の下端縁に当たっているから、押さえ片(３)は最早下降できない。従って、図３(b)に示すように、押さえ片(３)はビス(50)を中心として、時計方向(矢印Ｂ方向)に回動する。図３(c)に示すように、押さえ片(３)が約９０度下方に回動して略水平となった状態で、アーム(30)の基端部は繋ぎ片(２)に接しており、アーム(30)は回動を規制される。押圧板(31)が天井(６)の上面に対向し、ネジ軸(４)を更に回転させると、押さえ片(３)が下降して、押圧板(31)と当て片(11)とで天井(６)の開口(60)の周縁部を挟持する(第２の位置と呼ぶ)。
【００１３】
(取付け具の取り付け)
図４(a)、(b)は、取付け具(１)を天井(６)に取り付ける状態を示す図である。取付け具(１)の支持片(10)には、予めドーム型監視カメラ(７)が取り付けられている。取付け具(１)を天井(６)に取り付けるには、図４(a)に示すように、押さえ片(３)を起立姿勢(第１の位置)にした状態で、取付け具(１)を天井(６)の開口(60)に挿入する。当て片(11)が天井(６)の下面に接した状態で、ネジ軸(４)の頭部(４a)を当て片(11)の下側から回動させれば、前記の如く、押さえ片(３)が下方に回動して、図４(b)に示すように、押圧板(31)が天井(６)の上面を押さえる(第２の位置)。天井(６)の周縁部は、押さえ片(３)と当て片(11)とで上下に挟まれるから、取付け具(１)は天井(６)に取り付けられる。最後に化粧カバー(61)を取り付けて、開口(60)の周縁部を塞ぐ。
本例にあっては、押さえ片(３)は第１の位置から下降し下向きに回動した第２の位置にて天井(６)に取り付けられる。これにより、押さえ片(３)が回動するだけの従来の構成に比して、天井(６)裏に大きな空間を必要とすることなく、取付け具(１)を取り付けることができる。また、押さえ片(３)は起立姿勢にて天井(６)の開口(60)に挿入されるから、該開口(60)の大きさも小さくできる。
また、ネジ軸(４)を当て片(11)の下側から回動させるだけで、取付け具(１)を天井(６)に取り付けることができ、作業性が良い。更に、少ない部品の組み合わせにて、取付け具の安定した取り付けが可能となる。
【００１４】
(取付け具の取り外し)
ドーム型監視カメラ(７)の修理、交換等で、取付け具(１)を天井(６)から取り外すことがある。この取付け具(１)の取り外しは、以下の手順で行う。
先ず図５(a)に示すように、ネジ軸(４)を前記とは逆向きに回動させて、押さえ片(３)を上昇させる。但し、このままでは取付け具(１)が押さえ片(３)の上昇分だけ落下するから、当て片(11)が天井(６)の下面に接するように押さえておく必要がある。押さえ片(３)を更に上昇させると、図５(b)、(c)に示すように、突板(32)が案内片(８)のカム面(80)に接して押さえ片(３)をビス(50)を中心として上向き回動させる。図５(d)に示すように、突板(32)がカム面(80)から外れた状態で、押さえ片(３)が起立姿勢となる。押さえ片(３)の先端部が開口(60)の内側に位置するから、取付け具(１)をこのまま下降させると、取付け具(１)を天井(６)から取り外すことができる。
取付け具(１)を取り外す際にも、ネジ軸(４)を当て片(11)の下側から回動させるだけでよいから作業性が良い。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例にあっては、天井(６)に吊り下げるべき機器として、ドーム型監視カメラ(７)を例示したが、これに限らず、例えばプロジェクタ等であってもよい。
【図面の簡単な説明】
【００１６】
【図１】取付け具を下側から見た分解斜視図である。
【図２】起立姿勢にある押さえ片を図１のＡ方向から見た図である。
【図３】(a)、(b)、(c)は、取付け具を天井に取り付ける状態を示す図である。
【図４】(a)、(b)は、取付け具を天井に取り付ける状態を示す図である。
【図５】(a)、(b)、(c)、(d)は、取付け具を天井から取り外す状態を示す図である。
【図６】(a)、(b)は、従来の取付け具を天井に取り付ける状態を示す図である。
【符号の説明】
【００１７】
(１)  取付け具
(２)  繋ぎ片
(３)  押さえ片
(４)  ネジ軸
(６)  天井
(８)  案内片
(10)  支持片
(11)  当て片
(60)  開口
【図１】
2008042232.tif 000003
【図２】
2008042232.tif 000004
【図３】
2008042232.tif 000005
【図４】
2008042232.tif 000006
【図５】
2008042232.tif 000007
【図６】
2008042232.tif 000008